(57)【要約】【課題】様々な形態の収納容器及び液体収納袋に適用可能であるとともに、液体収納袋の付け替え作業の作業性を向上可能な液体取出し装置を提供する。【解決手段】液体収納袋５０を収納する収納容器３０に保持され、液体収納袋５０内の液体を取り出す液体取出し装置１０であり、液体収納袋５０内の液体を吸引して吐出するポンプ部材１１と、ポンプ部材１１の一端部に設けられ液体収納袋５０内の液体を吸引する液体吸引口１２と、ポンプ部材１１の他端部に設けられ液体吸引口１２から吸引される液体を吐出する液体吐出口１３と、液体吸引口１２と液体吐出口１３との間に設けられ収納容器３０と係合してポンプ部材１１を収納容器３０に固定するポンプ固定部材２０と、液体吸引口１２とポンプ固定部材２０との間に設けられ収納容器３０の内部において液体収納袋５０と係合して液体収納袋５０をポンプ部材１１に固定する収納袋固定部材２１と、を備えるものである。【選択図】図１
2017190171.tif 000002
【特許請求の範囲】
【請求項１】
液体収納袋を収納する収納容器に保持され、前記液体収納袋内に収納されている液体を取り出す液体取出し装置であって、
前記液体収納袋内の液体を吸引して吐出するポンプ部材と、
前記ポンプ部材の一端部に設けられ、前記液体収納袋内の液体を吸引する液体吸引口と
前記ポンプ部材の他端部に設けられ、前記液体吸引口から吸引される前記液体を吐出する液体吐出口と、
前記液体吸引口と、前記液体吐出口と、の間に設けられ、前記収納容器と係合して前記ポンプ部材を前記収納容器に固定するポンプ固定部材と、
前記液体吸引口と、前記ポンプ固定部材と、の間に設けられ、前記収納容器の内部において前記液体収納袋と係合して前記液体収納袋を前記ポンプ部材に固定する収納袋固定部材と、
を備えること
を特徴とする液体取出し装置。
【請求項２】
前記ポンプ部材は、前記液体収納袋内に挿入するノズル部を備え、
前記ノズル部は、その一端に前記液体吸引口が設けられるとともに、その他端側に前記収納袋固定部材が設けられること
を特徴とする請求項１に記載の液体取出し装置。
【発明の詳細な説明】
【技術分野】
【０００１】
本発明は、液体収納袋内に収納されている液体を取り出す液体取出し装置に関するものである。
【背景技術】
【０００２】
従来から、家庭用の液体洗剤、シャンプー等は、樹脂製の容器に詰められて用いられており、容器内の液体洗剤等がなくなると、液体収納袋に入った詰め替え用の液体洗剤等を空の容器に詰め替えていた。
【０００３】
しかしながら、液体収納袋に入った液体洗剤等を空の容器に詰め替える際には、柔軟な液体収納袋の口部と、空の容器の口部と、を合わせて詰め替えを行うため、詰め替え作業に手間がかかる。また、液体洗剤等を空の容器に注ぐ際に、液体洗剤等が空の容器の口部から外れ、空の容器の外にこぼれる場合があり、液体収納袋に入った液体洗剤等の全量を空の容器に移し替えることができないという問題があった。
【０００４】
そこで、特許文献１のように、液体取出し装置の吸い込む用チューブ（ポンプ部材）を詰め替え用液体洗剤等が入った樹脂製袋に直接突き刺すものや、特許文献２のように、スパウト部の上部外面に雄螺子が形成された液体収納袋に対して、ポンプディスペンサー（液体取出し装置）を直接付け替えるものが知られている。
【先行技術文献】
【特許文献】
【０００５】
【特許文献１】特開平０６−２５５６８４号公報
【特許文献２】特開２０１５−４２５５３号公報
【発明の概要】
【発明が解決しようとする課題】
【０００６】
しかしながら、特許文献１に示す液体取出し装置においては、吸い込む用チューブ（ノズル部）を樹脂製袋に突き刺す際に、袋の孔部に裂け目が生じて袋内部の液体が漏れることがあるため、当該裂け目を防止するために袋の底部を所定のフィルム（例えば、未延伸ナイロンフィルムとポリオレフィン系フィルムを積層してなるラミネートフィルム）で構成した袋を使用しなければならず、使用できる袋が限定される。そのため、汎用性が悪いという問題がある。
【０００７】
また、特許文献２に示す液体取出し装置においては、液体収納袋を付け替える際に、取り外したポンプディスペンサー（液体取出し装置）の吸引パイプ（ノズル部）等が床面等に接触して汚れる場合がある。そのため、ポンプディスペンサーを手に持った状態で付け替え作業を行うか、或いは吸引パイプ（ノズル部）等が床面等に接触しない場所にポンプディスペンサーを移動させて付け替え作業を行う必要があるため、液体収納袋の付け替え作業が煩雑になるという問題がある。
【０００８】
さらに、特許文献２に示す液体取出し装置においては、ポンプディスペンサー及び液体収納袋を保持するホルダー（収納容器）を用いて液体収納袋の付け替え作業の作業性を向上させているが、ポンプディスペンサー及び液体収納袋の構成上、使用できるホルダー（収納容器）の形態が限定される。そのため、様々な形態の収納容器には対応できず、汎用性が悪いという問題がある。
【０００９】
本発明は、上記課題を解決するもので、様々な形態の収納容器及び液体収納袋に適用可能であるとともに、液体収納袋の付け替え作業の作業性を向上可能な液体取出し装置を提供することを目的とする。
【課題を解決するための手段】
【００１０】
上記課題を解決するため、本発明に係る液体取出し装置は、液体収納袋を収納する収納容器に保持され、前記液体収納袋内に収納されている液体を取り出す液体取出し装置であって、前記液体収納袋内の液体を吸引して吐出するポンプ部材と、前記ポンプ部材の一端部に設けられ、前記液体収納袋内の液体を吸引する液体吸引口と前記ポンプ部材の他端部に設けられ、前記液体吸引口から吸引される前記液体を吐出する液体吐出口と、前記液体吸引口と、前記液体吐出口と、の間に設けられ、前記収納容器と係合して前記ポンプ部材を前記収納容器に固定するポンプ固定部材と、前記液体吸引口と、前記ポンプ固定部材と、の間に設けられ、前記収納容器の内部において前記液体収納袋と係合して前記液体収納袋を前記ポンプ部材に固定する収納袋固定部材と、を備えるものである。
【００１１】
上記構成によると、収納容器の内部において、液体収納袋と、ポンプ部材の収納袋固定部材と、を係合して液体収納袋をポンプ部材に固定する。
【００１２】
また、本発明に係る液体取出し装置は、上記液体取出し装置であって、前記ポンプ部材は、前記液体収納袋内に挿入するノズル部を備え、前記ノズル部は、その一端に前記液体吸引口が設けられるとともに、その他端側に前記収納袋固定部材が設けられるものである。
【００１３】
上記構成によると、収納袋固定部材が液体吸引口から離れた状態となる。
【発明の効果】
【００１４】
本発明の効果として、以下に示すような効果を奏する。すなわち、本発明に係る液体取出し装置は、収納容器の内部において液体収納袋と係合して液体収納袋をポンプ部材に固定する収納袋固定部材を備えることから、液体取出し装置が収納容器に保持された状態で液体収納袋の付け替え作業を行うことができる。そのため、液体取出し装置を手に持った状態で液体収納袋の付け替え作業を行う等の煩わしさがなく、付け替え作業の作業性を向上させることができる。
【００１５】
ポンプ部材を収納容器に固定するポンプ固定部材と、液体収納袋をポンプ部材に固定する収納袋固定部材と、を別々に設けていることから、様々な形態の収納容器及び液体収納袋に適用することができる。
【図面の簡単な説明】
【００１６】
【図１】（ａ）は、本発明に係る液体取出し装置の斜視図、（ｂ）は、本発明に係る液体取出し装置の分解斜視図である。
【図２】（ａ）は、本発明に係る液体取出し装置を収納容器に固定した際の斜視図、（ｂ）は、本発明に係る液体取出し装置を固定する収納容器の容器本体の内部を開放した際の斜視図である。
【図３】（ａ）は、本発明に係る液体取出し装置を固定する収納容器の上部拡大図、（ｂ）は、図２（ａ）のＡ−Ａ断面図である。
【図４】本発明に係る液体取出し装置の収納袋固定部材の別実施例を示す正面断面図である。
【図５】本発明に係る液体取出し装置を保持する収納容器の別実施例を示す分解斜視図である。
【図６】本発明に係る液体取出し装置を保持する収納容器の別実施例を示す斜視図である。
【図７】本発明に係る液体取出し装置に固定される液体収納袋の別実施例を示す斜視図である。
【発明を実施するための形態】
【００１７】
以下に、本発明の実施例に係る液体取出し装置１０について図面に基づき説明する。図１及び図２に示すように、液体取出し装置１０は、収納容器３０内に収納される液体収納袋５０に収納されている液体を取り出すものであり、収納容器３０に保持されるとともに、液体収納袋５０に対して着脱可能に構成される。
【００１８】
図１に示すように、液体取出し装置１０は、液体収納袋５０内の液体を吸引して吐出するポンプ部材１１を備える。液体取出し装置１０は、ポンプ部材１１の一端部に設けられる液体吸引口１２から液体収納袋５０内の液体を吸引し、ポンプ部材１１の他端部に設けられる液体吐出口１３から、液体吸引口１２より吸引された液体を吐出する。また、液体取出し装置１０は、雄螺子で形成される収納容器３０の装着部３１（図２）と係合して収納容器３０に固定されるとともに、雄螺子で形成される液体収納袋５０のスパウト部５３（図２）と係合して液体収納袋５０を着脱可能に固定する。
【００１９】
ポンプ部材１１は、シリンダー部１４と、シリンダー部１４に摺動自在に内装されるピストン部１５と、ピストン部１５を作動させるノズルヘッド部１６と、液体収納袋５０内に挿入され、液体収納袋５０内の液体をシリンダー部１４に導くノズル部１７と、から構成される。
【００２０】
ノズルヘッド部１６は、ピストン部１５に設けられる流路を通った液体が吐出される吐出ノズル１８を有する。吐出ノズル１８の先端部には、液体を吐出するための液体吐出口１３が形成されている。
【００２１】
シリンダー部１４には、液体収納袋５０の内部が負圧となった際に外気を導入するための通気孔１９が設けられている。また、シリンダー部１４には、収納容器３０の装着部３１と係合してポンプ部材１１を収納容器３０に固定するポンプ固定部材２０が設けられている。ポンプ固定部材２０は、その中央部にシリンダー部１４が挿通される。また、ポンプ固定部材２０は、雄螺子の装着部３１と係合するために、その内面が雌螺子で形成されている。ポンプ固定部材２０が装着部３１と係合することで、ポンプ部材１１（液体取出し装置１０）が収納容器３０に保持される。
【００２２】
ノズル部１７は、その一端部に液体吸引口１２が設けられ、液体吸引口１２が設けられる側から液体収納袋５０内に挿入される。ノズル部１７は、外側筒状部材１７Ａと、外側筒状部材１７Ａの筒内部に形成される内側筒状部材１７Ｂと、から構成される。ノズル部７１は、その筒状の一端側（液体吸引口１２が設けられる側）が、外側筒状部材１７Ａと、内側筒状部材１７Ｂと、により二重構造となっている。
【００２３】
外側筒状部材１７Ａは、その外周面が液体収納袋５０のスパウト部５３の内周面に液密且つ気密状態に密着可能に装着されるとともに、その少なくとも一部が液体収納袋５０の内部に入り込む。内側筒状部材１７Ｂは、その一端部が外側筒状部材１７Ａと一体に成形されている。また、内側筒状部材１７Ｂは、その他端部にシリンダー部１４の下端部が嵌め合わされることにより、その内周面がシリンダー部１４の下端部の外周面に液密且つ気密状態に密着可能に装着される。
【００２４】
ノズル部１７は、外側筒状部材１７Ａと、内側筒状部材１７Ｂと、を介して、シリンダー部１４と、液体収納袋５０の内部と、を連通する。また、ノズル部１７は、液体収納袋５０の内部が負圧となった際にシリンダー部１４の通気孔１９から導入する外気を遮断する。
【００２５】
さらに、ノズル部１７は、その他端側（液体吸引口１２が設けられる側と反対側）に、収納容器３０内において液体収納袋５０のスパウト部５３と係合して液体収納袋５０をポンプ部材１１に固定する収納袋固定部材２１が設けられている。収納袋固定部材２１は、その中央部にノズル部１７の外側筒状部材１７Ａが挿通される。また、収納袋固定部材２１は、雄螺子のスパウト部５３と係合するために、その内面が雌螺子で形成されている。
【００２６】
さらに、収納袋固定部材２１は、ノズル部１７の外側筒状部材１７Ａの上端部（液体吸引口１２が設けられる側と反対側の端部）に設けられ、液体吸引口１２と離して配置される。このように収納袋固定部材２１を設けることで、ポンプ部材１１を収納容器３０に固定した状態（液体取出し装置１０が収納容器３０に保持された状態）で、収納容器３０内において液体収納袋５０をポンプ部材１１に対して着脱できる。また、ノズル部１７を液体収納袋５０内に充分に挿入できるとともに、ポンプ固定部材２０（収納容器３０の装着部３１）と、収納袋固定部材２１と、の間隔を狭くすることができるため、液体収納袋５０を収納する収納容器３０をコンパクトにすることができる。
【００２７】
なお、収納袋固定部材２１は、その内面が雌螺子で形成されたものに限定されるものではなく、図４に示すように、内周面にリング状に凹む凹部２２を形成したものであっても構わない。この場合、図４（ａ）に示すように、液体収納袋５０のスパウト部５３には、その外周面にリング状に突出する凸部５８が、凹部２２に嵌め込み可能に形成される。そして、図４（ｂ）に示すように、収納袋固定部材２１の凹部２２をスパウト部５３の凸部５８に嵌め込むことにより、収納袋固定部材２１と、スパウト部５３とが係合し、液体収納袋５０が液体取出し装置１０に固定される。
【００２８】
次に、液体収納袋５０を収納する収納容器３０について説明する。図２に示すように、収納容器３０は、その内部に液体収納袋５０を収納可能な縦長の合成樹脂製の容器体である。収納容器３０は、その上端に、ポンプ部材１１のシリンダー部１４及びノズル部１７を挿入可能な程度に開口する装着部３１が形成されている。収納容器３０は、装着部３１と、液体取出し装置１０のポンプ固定部材２０と、が係合することで、液体取出し装置１０（ポンプ部材１１）を容器本体３２に固定して支持する。
【００２９】
また、図２（ｂ）に示すように、収納容器３０は、その容器本体３２が、下部から半分に分割可能に構成されている。図３（ａ）に示すように、収納容器３０は、その上部に、容器本体３２の一部を上下方向に昇降可能に支持するヒンジ部３３が設けられている。収納容器３０は、ヒンジ部３３を中心に容器本体３２の一部を上下方向に昇降させることで、その内部が開放或いは密閉状態となる。
【００３０】
さらに、図２（ｂ）及び図３（ｂ）に示すように、収納容器３０は、その容器本体３２の底部に、分割される容器本体３２の底部同士を連結する連結部３４が形成されている。連結部３４は、分割される一方の容器本体３２の底部中央に形成される凸部に、分割される他方の容器本体３２の底部中央に形成される凸部を引掛けて止めるように構成されている。なお、連結部３４は、図２（ｂ）及び図３（ｂ）に示す構成に限定されるものではなく、例えば、分割される一方の容器本体３２の底部中央に形成される凹部に、分割される他方の容器本体３２の底部中央に形成される凸部を嵌め合わせて止めるように構成しても構わない。
【００３１】
収納容器３０においては、液体収納袋５０を液体取出し装置１０に対して着脱する際には、容器本体３２の一部をヒンジ部３３を中心に上方へ跳ね上げて、収納容器３０の内部を開放状態とする。この時、液体取出し装置１０は収納容器３０に固定（支持）されており、また、液体取出し装置１０のノズル部１７が収納容器３０の内部で保持されている（ノズル部１７が床面等に接触していない）。そのため、液体収納袋５０の付け替え作業を行う際には、液体取出し装置１０を手に持った状態で行う等の煩わしい付け替え作業を行う必要がない。
【００３２】
なお、液体取出し装置１０は、液体取出し装置１０を収納容器３０に固定するポンプ固定部材２０の下方に、液体収納袋５０をポンプ部材１１に固定する収納袋固定部材２１を設けて、収納容器３０に対する液体取出し装置１０の固定位置と、液体取出し装置１０に対する液体収納袋５０の固定位置と、分けていることから、液体取出し装置１０を保持する収納容器３０を図２に示す容器に限定する必要はなく、図５に示すような収納容器３０Ａとしても構わない。
【００３３】
収納容器３０Ａは、液体収納袋５０を収納する収納容器本体３５と、収納容器本体３５上部の開口部分を閉じる蓋体３６と、から構成されている。収納容器３０Ａは、蓋体３６に、液体取出し装置１０のポンプ固定部材２０と係合するポンプ装着部３７が設けられている。収納容器３０Ａにおいては、蓋体３６に固定した液体取出し装置１０のノズル部１７を、収納容器本体３５に収納された液体収納袋５０の上方から挿入する。そして、液体取出し装置１０の収納袋固定部材２１と、液体収納袋５０のスパウト部５３と、を係合させて固定した後、蓋体３６を収納容器本体３５に固定して収納容器３０Ａの内部を密閉状態とする。
【００３４】
さらに、液体取出し装置１０は、図６に示す枠体３０Ｂにより保持しても構わない。枠体３０Ｂは、液体取出し装置１０を保持するポンプ保持部３８と、ポンプ保持部３８の両端から上下方向に延設される脚部３９、３９と、から構成される。枠体３０Ｂは、ポンプ保持部３８の中央部に液体取出し装置１０のポンプ固定部材２０と係合するポンプ装着部４０が設けられている。枠体３０Ｂにおいては、ポンプ保持部３８に固定した液体取出し装置１０のノズル部１７に、液体収納袋５０を下方から挿入し、液体取出し装置１０の収納袋固定部材２１と、液体収納袋５０のスパウト部５３と、を係合させて、液体収納袋５０を液体取出し装置１０に固定する。
【００３５】
次に、液体を収納する液体収納袋５０について説明する。図２及び図５に示すように、液体収納袋５０は、胴部５１と、胴部の下端に二つ折り状態から拡がるように設けられる底部５２と、からなる自立可能なスタンディングパウチである。液体収納袋５０は、胴部５１の上部中央にスパウト部５３が形成されている。
【００３６】
なお、上述のように、液体取出し装置１０は、収納容器３０に対する液体取出し装置１０の固定位置と、液体取出し装置１０に対する液体収納袋５０の固定位置と、分けていることから、液体取出し装置１０に固定される（収納容器３０に収納される）液体収納袋５０を図２及び図５に示すスタンディングパウチに限定する必要はなく、図７（ａ）に示す液体収納袋５０Ａのように、胴部５１Ａの上下部に底テープ（マチ）が設けられたスタンディングパウチであっても構わない。液体収納袋５０Ａにおいては、スパウト部５３が胴部５１Ａ上部の底テープ（マチ）に形成されている。
【００３７】
また、図７（ｂ）に示すように、三方袋の上部にスパウト部５３が形成された液体収納袋５０Ｂであっても構わない。さらに、図７（ｃ）に示すように、ガゼット袋の上部にスパウト部５３が形成された液体収納袋５０Ｃであっても構わない。
【００３８】
さらにまた、本発明は、液体を袋状のものに収納する場合に限定されるものではなく、図７（ｄ）に示すように、容器本体５５の上部にスパウト部５３が形成された柔軟な樹脂製の容器からなる液体収納容器５０Ｄであっても構わない。
【００３９】
以上のように、上記実施例に係る液体取出し装置１０によると、収納容器３０の内部において液体収納袋５０と係合して液体収納袋５０をポンプ部材１１に固定する収納袋固定部材２１を備えることから、液体取出し装置１０が収納容器３０に保持された状態で液体収納袋５０の付け替え作業を行うことができる。そのため、液体取出し装置１０を手に持った状態で液体収納袋５０の付け替え作業を行う等の煩わしさがなく、付け替え作業の作業性を向上させることができる。
【００４０】
また、上記実施例に係る液体取出し装置１０によると、液体取出し装置１０を収納容器３０に固定するポンプ固定部材２０と、液体収納袋５０をポンプ部材１１に固定する収納袋固定部材２１と、を別々に設けていることから、様々な形態の収納容器３０及び液体収納袋５０に適用することができる。
【００４１】
さらに、上記実施例に係る液体取出し装置１０によると、ノズル部１７の一端に液体吸引口１２を設けるとともに、ノズル部１７の他端側に収納袋固定部材２１を設けることで、収納袋固定部材２１が液体吸引口１２から離れた状態となることから、ノズル部１７を液体収納袋５０内に充分に挿入できるとともに、液体収納袋５０を収納する収納容器３０をコンパクトにすることができる。
【符号の説明】
【００４２】
１０        液体取出し装置
１１        ポンプ部材
１２        液体吸引口
１３        液体吐出口
１７        ノズル部
２０        ポンプ固定部材
２１        収納袋固定部材
３０        収納容器
５０        液体収納袋
【図１】
2017190171.tif 000003
【図２】
2017190171.tif 000004
【図３】
2017190171.tif 000005
【図４】
2017190171.tif 000006
【図５】
2017190171.tif 000007
【図６】
2017190171.tif 000008
【図７】
2017190171.tif 000009